(57)【要約】【課題】火災事故のあった部屋を消臭すること。【解決手段】火災事故のあった部屋の消臭方法であって、  煤臭の除去を行う煤臭除去工程を有し、  前記煤臭除去工程は、  部屋内にオゾンを噴霧するオゾン燻蒸作業と、  活性炭を含む塗料を、煤の残存する内壁に塗布する塗布作業と、  を含むことを特徴とする。【選択図】なし【特許請求の範囲】
【請求項１】
火災事故のあった部屋の消臭方法であって、
煤臭の除去を行う煤臭除去工程を有し、
前記煤臭除去工程は、
部屋内にオゾンを噴霧するオゾン燻蒸作業と、
活性炭を含む塗料を、煤の残存する内壁に塗布する塗布作業と、
を含むことを特徴とする、消臭方法。
【請求項２】
前記オゾン燻蒸作業は、１ｍ３あたり、６５００ｇ以上の量のオゾンを用いることを特徴とする、請求項１に記載の消臭方法。
【請求項３】
さらに、前記オゾン燻蒸作業の前に、部屋内の煤の付着した内壁を削る煤削減作業を行うことを特徴とする、請求項１又は２に記載の消臭方法。
【請求項４】
前記煤臭除去工程の前に、部屋内の家具の除去を行う家具除去工程を含むことを特徴とする、請求項１〜３の何れか１項に記載の消臭方法。
【請求項５】
火災事故のあった部屋の出口近傍にシャワー室を用意し、該部屋から退出する際にシャワーで煤汚れを落とす汚染防止工程を含むことを特徴とする、請求項１〜４の何れか１項に記載の消臭方法。
【発明の詳細な説明】
【技術分野】
【０００１】
本発明は、火災事故のあった部屋の消臭方法に関する。
【背景技術】
【０００２】
火事や火災で発生する焼け焦げ臭は、においを感知できる最小濃度が低い。そのため、焼け焦げ臭の主たる原因である煤が部屋内少量残留しているのみであっても、人は臭気を感じてしまう。以上の事情から、火事や火災現場のあった室内を消臭する手段が求められていた。
【０００３】
特許文献１には、オリーブオイル、植物酢液を均一に噴霧することで、火災による煙臭を除去できることが記載されている。
【０００４】
ところで、室内で発生する臭気を除去する技術として、オゾン燻蒸が知られている（非特許文献１）。
【先行技術文献】
【特許文献】
【０００５】
【特許文献１】特開２００９−２２６０９０号公報
【非特許文献】
【０００６】
【非特許文献１】「オゾン燻蒸サービス」、［ｏｎｌｉｎｅ］、三協エアテック、［平成３０年１１月１５日検索］、インターネット〈ＵＲＬ：https://www.sat.co.jp/service/kunjyou/〉
【発明の概要】
【発明が解決しようとする課題】
【０００７】
上記先行技術のあるところ、本発明は、火災事故のあった部屋を消臭する方法を提供することを課題とする。
【課題を解決するための手段】
【０００８】
すなわち、上記課題を解決する本発明は、火災事故のあった部屋の消臭方法であって、
煤臭の除去を行う煤臭除去工程を有し、
前記煤臭除去工程は、
部屋内にオゾンを噴霧するオゾン燻蒸作業と、
活性炭を含む塗料を、煤の残存する内壁に塗布する塗布作業と、
を含むことを特徴とする、消臭方法である。
上記の方法とすることで、火災現場における臭気の原因である煤臭を除去し、火災事故のあった部屋の消臭をすることができる。特に、上記の方法とすることで、煤由来の臭気成分であるダイオキシン類を分解することができ、火災事故のあった部屋の消臭をすることができる。
【０００９】
本発明の好ましい実施の形態では、前記オゾン燻蒸作業は、１ｍ３あたり、６５００ｇ以上の量のオゾンを用いることを特徴とする。
下限以上の量のオゾンを用いることで、火災事故のあった部屋をより確実に消臭することができる。特に、上記の方法とすることで、煤由来の臭気成分であるダイオキシン類を分解することができ、火災事故のあった部屋の消臭をすることができる。
【００１０】
本発明の好ましい実施の形態では、さらに、前記オゾン燻蒸作業の前に、部屋内の煤の付着した内壁を削る煤削減作業を行うことを特徴とする。
オゾン燻蒸作業の前に部屋内の煤の付着した内壁を削る煤削減作業を行うことで、火災事故のあった部屋をより確実に消臭することができる。
【００１１】
本発明の好ましい実施の形態では、前記煤臭除去工程の前に、部屋内の家具の除去を行う家具除去工程を含むことを特徴とする。
前記煤臭除去工程の前に部屋内の家具の除去を行うことで、火災事故のあった部屋をより確実に消臭することができる。
【００１２】
本発明の好ましい実施の形態では、火災事故のあった部屋の出口近傍にシャワー室を用意し、該部屋から退出する際にシャワーで煤汚れを落とす汚染防止工程を含むことを特徴とする。
上記の汚染防止工程を行うことで、煤臭の拡散を防ぐことができる。
【発明の効果】
【００１３】
本発明によれば、火災事故のあった部屋をより確実に消臭する方法を提供することができる。
【発明を実施するための形態】
【００１４】
以下、本発明について詳細に説明するが、本発明の技術的範囲は以下の説明に限定されないことはいうまでもない。
【００１５】
本実施形態にかかる消臭方法は、火災事故のあった部屋を消臭対象とする。
ここで、本実施形態にかかる消臭方法は、普通火災、油火災、電気火災、金属火災、ガス火災の何れの火災事故のあった部屋であっても、消臭対象とすることができる。
【００１６】
また、火災事故からの経過時間にも特に制限はない。
【００１７】
消臭対象とする部屋の材質にも特に制限はなく、木造、コンクリート製の何れであってもよい。
【００１８】
また、消臭対象とする部屋の種類にも特に制限はなく、居宅、共同住宅、店舗、旅館、料理店、工場、倉庫、車庫の何れであってもよい。
【００１９】
また、消臭対象とする部屋の大きさにも特に制限はなく、例えば、１０ｍ３以上、好ましくは３０ｍ３以上、より好ましくは６０ｍ３以上の大きさの部屋を消臭対象とすることができる。
また、１２０ｍ３以下、より好ましくは６０ｍ３以下の部屋を消臭対象にすることができる。
【００２０】
本実施形態にかかる消臭方法は、汚染防止工程と、家具除去工程と、煤臭除去工程とを有する。
以下各工程について、詳細に説明する。
【００２１】
（汚染防止工程）
汚染防止工程は、火災事故のあった部屋の出口近傍にシャワー室を用意し、該部屋から退出する際にシャワーで煤汚れを落とす工程である。
上記の汚染防止工程を行うことで、煤臭の拡散を防ぐことができる。
【００２２】
ここで、シャワー室は、作業者に付着した煤を洗い流すことのできるものであれば、その形状、大きさ、数に特に制限はない。
【００２３】
また、シャワー室は、火災事故のあった部屋の出口に設けられていることが特に好ましい。
【００２４】
（家具除去工程）
次に、家具除去工程について説明する。
家具除去工程は、部屋内の家具の除去を行うことで、後述する煤臭除去工程での作業効率を向上させる工程である。
部屋内の家具を除去することで、火災事故のあった部屋をより効率よく消臭することができる。
【００２５】
家具を部屋内から除去する手段に特に制限はなく、例えば、人力で家具を搬出する方法を採ることができる。
【００２６】
また、除去した家具は、再利用することもできる。
【００２７】
（煤臭除去工程）
次に、煤臭除去工程について、説明する。煤臭除去工程は、部屋内の煤を除去することにより、火災現場における臭いの主たる原因である煤臭を軽減する工程である。
【００２８】
本実施例の煤臭除去工程は、煤削減作業と、オゾン燻蒸作業と、塗布作業と、を有する。
以下、各作業について詳細を説明する。
【００２９】
（１）煤削減作業
煤削減作業は、部屋内焼き付いた煤を除去する作業である。
煤削減作業を行うことで、より確実に火災事故のあった部屋を消臭することができる。
【００３０】
ここで、煤削減作業の具体例としては、グラインダーやスチールウールを用いて内壁を削ることにより焼き付いた煤を除去する方法を挙げることができる。
【００３１】
（２）オゾン燻蒸作業
（２−１）下準備（酵素含有消臭剤の散布）
本実施例では、オゾン散布前に、プロテアーゼ、リパーゼ、アミラーゼ、セルラーゼを含む消臭剤を散布している。酵素を含む消臭剤を散布することで、火災事故のあった部屋をより確実に消臭することができる。
【００３２】
ここで、消臭剤に含まれる酵素は、必ずしもプロテアーゼ、リパーゼ、アミラーゼ、セルラーゼの全てである必要はない。例えば、プロテアーゼ、リパーゼ、アミラーゼ、セルラーゼから選ばれる一以上、より好ましくは二以上、さらに好ましくは三以上の酵素を含む消臭剤を用いることもできる。
【００３３】
また、本実施例では、塩素系消臭剤を散布している。塩素系消臭剤を散布することで、煤臭をより確実に軽減することができる。
ただし、本発明における消臭剤は、塩素系消臭剤、次亜塩素系消臭剤、光触媒系消臭剤の何れであってもよい。
【００３４】
また、消臭剤は、液剤、顆粒、粉体の何れであってもよい。中でも消臭剤は液剤であることが好ましい。液剤を用いることで、煤臭をより確実に軽減することができる。
【００３５】
上記の酵素を含む酵素含有消臭剤として、グランバイオプロ（株式会社カイコーポレーション  社製）を好ましく用いることができる。
【００３６】
また、本実施例では、消臭剤と共に界面活性剤を散布している。界面活性剤と消臭剤とを併用することで、より確実に煤臭を軽減することができる。
ここで、消臭剤と界面活性剤とは、必ずしも同時に使用する必要はなく、消臭剤を適用した後に界面活性剤を適用する形態、界面活性剤を適用した後に消臭剤を適用する形態の何れであってもよい。
【００３７】
（２−２）オゾン燻蒸
オゾン燻蒸作業は、部屋内にオゾンを噴霧する作業である。
ここで、オゾン燻蒸作業における、オゾンの使用量は、１ｍ３あたり、好ましくは６５００ｇ以上、より好ましくは７５００ｇ以上、さらに好ましくは８５００ｇ以上、特に好ましくは９０００ｇ以上である。
下限以上の量のオゾンを噴霧することで、より確実に火災事故のあった部屋を消臭することができる。
【００３８】
また、オゾン燻蒸作業における、オゾンの使用量は、１ｍ３あたり、好ましくは３５０００ｇ以下、より好ましくは２５０００ｇ以下、さらに好ましくは２００００ｇ以下、特に好ましくは１５０００ｇ以下である。
上限以下のオゾン使用量であっても、十分に煤臭を軽減することができる。
【００３９】
以下、オゾンの使用量について、より詳細を説明する。
【００４０】
（i）家具除去工程で家具を全て撤去している場合
家具除去工程で家具が全て撤去されている場合における、オゾンの使用量は、１ｍ３あたり、好ましくは６５００ｇ以上、より好ましくは７５００ｇ以上、さらに好ましくは８５００ｇ以上、特に好ましくは９０００ｇ以上である。
下限以上の量のオゾンを噴霧することで、より確実に火災事故のあった部屋を消臭することができる。
【００４１】
家具除去工程で家具が全て撤去されており、かつ部屋の大きさが１０ｍ３〜３０ｍ３である場合のオゾンの使用量は、好ましくは３００００ｇ以下、より好ましく２５０００ｇ以下、さらに好ましくは２２０００ｇ以下、特に好ましくは２１０００ｇ以下である。
家具除去工程で家具を全て撤去しており、かつ部屋の大きさが１０ｍ３〜３０ｍ３である場合であれば、上限以下のオゾン使用量であっても、十分に煤臭を軽減することができる。
【００４２】
また、家具除去工程で家具が全て撤去されており、かつ部屋の大きさが３０ｍ３〜６０ｍ３である場合のオゾンの使用量は、好ましくは６００００ｇ以下、より好ましく５００００ｇ以下、さらに好ましくは４５０００ｇ以下、特に好ましくは４３０００ｇ以下である。
家具除去工程で家具を全て撤去しており、かつ部屋の大きさが３０ｍ３〜６０ｍ３である場合であれば、上限以下のオゾン使用量であっても、十分に煤臭を軽減することができる。
【００４３】
また、家具除去工程で家具が全て撤去されており、かつ部屋の大きさが６０ｍ３〜１２０ｍ３である場合のオゾンの使用量は、好ましくは１０００００ｇ以下、より好ましく９５０００ｇ以下、さらに好ましくは９００００ｇ以下、特に好ましくは８５０００ｇ以下である。
家具除去工程で家具を全て撤去しており、かつ部屋の大きさが６０ｍ３〜１２０ｍ３である場合であれば、上限以下のオゾン使用量であっても、十分に煤臭を軽減することができる。
【００４４】
（ii）家具が部屋内に残存している場合
家具が部屋内に残存している場合における、オゾンの使用量は、１ｍ３あたり、好ましくは８５００ｇ以上、より好ましくは９０００ｇ以上、特に好ましくは１００００ｇ以上である。
下限以上の量のオゾンを噴霧することで、より確実に火災事故のあった部屋を消臭することができる。
【００４５】
家具が部屋内に残存しており、かつ部屋の大きさが１０ｍ３〜３０ｍ３である場合のオゾンの使用量は、好ましくは５０００００ｇ以下、より好ましく４０００００ｇ以下、さらに好ましくは３５００００ｇ以下、特に好ましくは３２００００ｇ以下である。
家具が部屋内に残存して合おり、かつ部屋の大きさが１０ｍ３〜３０ｍ３である場合であれば、上限以下のオゾン使用量であっても、十分に煤臭を軽減することができる。
【００４６】
また、家具が部屋内に残存しており、かつ部屋の大きさが３０ｍ３〜６０ｍ３である場合のオゾンの使用量は、好ましくは９０００００ｇ以下、より好ましく８０００００ｇ以下、さらに好ましくは７０００００ｇ以下、特に好ましくは６５００００ｇ以下である。
家具が部屋内に残存して合おり、かつ部屋の大きさが３０ｍ３〜６０ｍ３である場合であれば、上限以下のオゾン使用量であっても、十分に煤臭を軽減することができる。
【００４７】
また、家具が部屋内に残存しており、かつ部屋の大きさが６０ｍ３〜１２０ｍ３である場合の、オゾンの使用量は、好ましくは１５０００００ｇ以下、より好ましく１３０００００ｇ以下、さらに好ましくは１２５００００ｇ以下である。
家具が部屋内に残存しており、かつ部屋の大きさが６０ｍ３〜１２０ｍ３である場合であれば、上限以下のオゾン使用量であっても、十分に煤臭を軽減することができる。
【００４８】
ここで、オゾン燻蒸作業は、上記の量のオゾンを一日で噴霧する形態であっても、上記の量のオゾンを複数日に分けて噴霧する形態であってもよい。
【００４９】
上記の量のオゾンを複数日に分けて噴霧する場合の、噴霧日数は、好ましくは２日以上、より好ましくは５日以上、さらに好ましくは１０日以上である。上記の日数に分けて、オゾンを噴霧することで、効率よく煤臭を軽減することができる。
【００５０】
オゾン燻蒸作業には、公知のオゾン燻蒸装置を用いることができる。中でも、オゾン燻蒸装置としては、スーパーアクティボ（株式会社カイコーポレーション  社製）を好ましく用いることができる。
【００５１】
（３）塗布作業
塗布作業は、活性炭を含む塗料を煤の残存する内壁に塗布する作業である。塗布作業を行うことで、火災事故のあった部屋をより確実に消臭することができる。
本明細書において、内壁は部屋の内側にある壁面を指す。内壁には、側壁、床面、天井、クローゼット、押し入れ、靴箱の何れの壁面をも含む。
【００５２】
また、塗料は、水性塗料であることが好ましい。
ただし、本発明における塗料は、水性塗料、油性塗料の何れであってもよい。
【００５３】
また、塗料は、接着剤を含むものであることが好ましい。接着剤を含む塗料を用いることで、塗料内部の活性炭をより効率よく内壁に塗布することができ、煤臭を軽減することができる。
【００５４】
また、塗料は、メチルセルロースを含むものであることが好ましい。メチルセルロースを含む塗料を用いることで、より確実に煤臭を軽減することができる。
【００５５】
上記特徴を備える塗料としては、炭ちゃん（登録商標）（株式会社  時代の家  niigata  製）を好ましく挙げることができる。
【００５６】
また、塗料の色相、彩度、明度にも特に制限はない。ここで、本発明の消臭方法においては、塗布対象の内壁と同色の塗料を塗布する形態とすることが好ましい。
【実施例】
【００５７】
以下、実施例を示しながら本発明についてより詳細に説明する。
【００５８】
（１）消臭対象の火災現場について
（１−１）火災事例
鉄筋２階建ての建物延べ９００平方メートルのうち、２階部分１３５平方メートルを焼いた火災事故
【００５９】
（１−２）消臭開始時点での部屋内の状態
上記（１−１）の建物のうち、音響室、事務室、会議室を消臭対象とした。
また、作業開始時点で、上記（１−１）の火災発生後、１０ヶ月経過している。
臭気は、作業着（防臭効果を有する衣服）を着用せずに部屋内に１０分間滞在するのみで、頭痛、吐き気に襲われる程度である。
【００６０】
（１−３）消臭工程前の臭気の測定
「ダイオキシン類にかかる大気環境調査マニュアル（平成２０年３月環境省  木・大気環境局）」に記載の方法に準拠し、ポリウレタンフォームを２個装着した採取筒をろ紙後段に取り付けたハイポリウムサンプラーにて、試料を採取し、ダイオキシン類（煤由来の臭気成分の一種）の測定を行った。
なお、試料採取箇所は、対象室内の中央一か所とした。採取ガス量は約２００ｍ３とし、５００ｍＬ／ｍｉｎ程度の流量で７時間連続採取することで得た。また、ハイポリウムサンプラー用のろ紙には、石英繊維ろ紙を用いた。
また、分析には、高分解能ガスクロマトグラフ質量分析を用いた。
【００６１】
（２）消臭工程
（２−１）汚染防止工程、家具除去工程
まず、粉じんなどの被害を防ぐために、部屋の出口近傍に簡易シャワー室の用意を行った。また、室内の家具の除去も併せて行った。
【００６２】
（２−２）煤削減作業
まず、部屋内集塵機の設置をした。グラインダーを用いて内壁を削ることにより、焼き付いた煤を除去した。また、煤の付着が軽度の箇所はスチールウールを用い除去した。
【００６３】
（２−３）オゾン燻蒸作業
（２−３−１）酵素処理
オゾン散布前に、酵素（プロテアーゼ、リパーゼ、アミラーゼ、セルラーゼ）を含む消臭剤を散布した。
【００６４】
（２−３−２）オゾン燻蒸作業
オゾン燻蒸装置（株式会社カイコーポレーション  社製）を用いて、１ｍ３あたりのオゾンの使用量が１３０００ｇ程度となるよう、オゾンの噴霧を行った。
【００６５】
（２−４）塗布作業
オゾン燻蒸作業後に、活性炭を含む塗料（活性化塗料  炭ちゃん（登録商標）、株式会社  時代の家  niigata  製）を、煤の残存する内壁に塗布し、塗膜を形成した。
【００６６】
（３）本消臭方法実施後の臭気の測定
前述の「（１−３）消臭工程前の臭気の測定」と同条件での、臭気の測定を行った。
表１に示す通り、本消臭方法により、臭気が軽減できることがわかった。
【００６７】
【表１】
2020096695.tif 000002
【００６８】
また、本消臭方法実施後の臭気について、各部屋における臭気成分の詳細を分析した。結果を表２〜表４に示す。
【００６９】
［音響室］
【表２】
2020096695.tif 000003
【００７０】
［事務室］
【表３】
2020096695.tif 000004
【００７１】
［会議室］
【表４】
2020096695.tif 000005
【００７２】
表２−表４の備考
・濃度欄の括弧つきの数値は、検出下限以上定量下限未満の濃度であることを示す。
・濃度欄の”ＮＤ”は、検出下限未満であることを示す。
・毒正等価係数は、ＷＨＯ―ＴＥＦ（２００６）を適用した。
・毒性等量は、定量下限未満検出下限以上の数値はそのままの値を用い、検出下限未満の数値は検出下限の１／２の値を用いて毒性等量換算した値である。
【００７３】
表２〜表４に示すとおり、本消臭方法により、ダイオキシン、ジベンゾフラン、コプラナＰＣＢの何れも低い濃度とすることができることがわかった。
【産業上の利用可能性】
【００７４】
本発明は、火災事故のあった部屋の消臭に応用することができる。
【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
火災事故のあった部屋の消臭方法であって、
煤臭の除去を行う煤臭除去工程を有し、
前記煤臭除去工程は、
部屋内にオゾンを噴霧するオゾン燻蒸作業と、
活性炭を含む塗料を、煤の残存する内壁に塗布する塗布作業と、
を含み、
前記オゾン燻蒸作業は、１ｍ３あたり、６５００ｇ以上の量のオゾンを用いることを特徴とする、消臭方法。
【請求項２】
さらに、前記オゾン燻蒸作業の前に、部屋内の煤の付着した内壁を削る煤削減作業を行うことを特徴とする、請求項１に記載の消臭方法。
【請求項３】
前記煤臭除去工程の前に、部屋内の家具の除去を行う家具除去工程を含むことを特徴とする、請求項１又は２に記載の消臭方法。